(57)【要約】【課題】アスベストを含有する波形スレート屋根改修時において、アスベスト粉塵を飛散させることなく改修作業を行う。【解決手段】波形スレート屋根３と母屋材４を連結すると共に、該波形スレート屋根３の波形山部１上に突出した既設のフックボルトをそのまま利用し、前記波形山部１上に突出した前記既設のフックボルト７にタップを切って新たに雄ねじ部８を形成し、且つ該雄ねじ部８に座板１０を固定して、該座板１０を波形山部１上に跨って固定すると共に、該座板１０上に長尺状の金属製タルキ９を前記波形山部１と直角方向に間隔を有して複数列に亘って固定し、然る後、前記金属製タルキ９上に、複数の台形状山部２３を備えて形成された鋼板製屋根材１８を設置する。【選択図】図３
2016130441.tif 000002
【特許請求の範囲】
【請求項１】
波形スレート屋根と母屋材を連結すると共に、該波形スレート屋根の波形山部上に突出した既設のフックボルトをそのまま利用し、前記波形山部上に突出した前記既設のフックボルトにタップを切って新たに雄ねじ部を形成する第１工程と、前記第１工程で形成された雄ねじ部に座板を貫挿して固定ナットを螺挿して、該座板を波形山部上に跨って固定する第２工程と、前記第２工程で固定された座板上に、長尺状の金属製タルキを前記波形山部と直角方向に間隔を有して複数列に亘って固定する第３工程と、前記第３工程で固定された金属製タルキ上に、複数の台形状山部を備えて形成された鋼板製屋根材を設置する第４工程とより成ることを特徴とする波形スレート屋根改修工法
【発明の詳細な説明】
【技術分野】
【０００１】
本発明は、波形スレート屋根改修工法、特に、アスベストを含有する波形スレート屋根改修時において、アスベスト粉塵を飛散させることなく改修作業を行うことができる波形スレート屋根改修工法に関するものである。
【背景技術】
【０００２】
従来、母屋上に設置されている波形スレート屋根が、経年変化等により劣化した時、これを改修する工法として種々の工法が使用されている。一般的な改修工法としては、波形スレート屋根を撤去することなく、該波形スレート屋根の上に、連続した凹凸を備えて成型された鋼板製屋根材を設置する工法が使用されている。そして、前記一般的に使用されている波形スレート屋根改修工法としては、下記の特許文献に示す波形スレート改修工法が公知である。
【先行技術文献】
【特許文献】
【０００３】
【特許文献１】特開２００３−２７６７１号公報
【発明の概要】
【発明が解決しようとする課題】
【０００４】
すなわち、特許文献１に示す波形スレート改修工法は、その特許公開公報中の図３・図５に示すように、既設波形スレート板の上面を、該既設波形スレート屋根の複数の波形山部と同一ピッチで形成した複数の台形状山部を備えて形成された改修用の鋼製屋根材で被覆して、前記各台形状山部の上部よりスクリューボルトを捻じ込み、該スクリューボルトの先端を母屋材に固定する工法である。前記工法は、既設波形スレート屋根上に改修用の鋼製屋根材を設置するだけなので、既設波形スレート板を取外す必要がなく、そのための手間と経費がかからず、施工が短期間でできるという利点がある。
【０００５】
しかしながら、前記特許文献１記載の工法では、スクリューボルトを鋼製屋根材から既設波形スレート屋根を貫通して捻じ込み、該スクリューボルトの先端を母屋材に固定するという工法のため、前記波形スレート屋根にアスベストが含有されている場合、前記スクリューボルトの捻じ込み作業時に極めて有害なアスベスト粉塵が発生し、これが飛散してしまうので、作業員のみならず、近隣住民にアスベスト公害をもたらし、極めて危険であるという課題があった。
【０００６】
本発明は、前記課題を解決すべくなされたものであって、波形スレート屋根と母屋材を連結すると共に、該波形スレート屋根の波形山部上に突出した既設のフックボルトをそのまま利用し、前記波形山部上に突出した前記既設のフックボルトにタップを切って新たに雄ねじ部を形成し、且つ該雄ねじ部に座板を固定すると共に、該座板上に長尺状の金属製タルキを前記波形山部と直角方向に間隔を有して複数列に亘って固定し、然る後、前記金属製タルキ上に、複数の台形状山部を備えて形成された鋼板製屋根材を設置するものであって、既設の波形スレート屋根には全く手を加えることなく、従来のように既設波形スレート屋根にスクリューボルトを捻じ込むことがないので、アスベストを含有する既設波形スレート屋根であっても、アスベスト粉塵が飛散する虞れのない波形スレート屋根改修工法を提供しようとするものである。
【課題を解決するための手段】
【０００７】
本発明は、波形スレート屋根と母屋材を連結すると共に、該波形スレート屋根の波形山部上に突出した既設のフックボルトをそのまま利用し、前記波形山部上に突出した前記既設のフックボルトにタップを切って新たに雄ねじ部を形成する第１工程と、前記第１工程で形成された雄ねじ部に座板を貫挿して固定ナットを螺挿して、該座板を波形山部上に跨って固定する第２工程と、前記第２工程で固定された座板上に、長尺状の金属製タルキを前記波形山部と直角方向に間隔を有して複数列に亘って固定する第３工程と、前記第３工程で固定された金属製タルキ上に、複数の台形状山部を備えて形成された鋼板製屋根材を設置する第４工程とより成る波形スレート屋根改修工法を採用することにより、上記課題を解決した。
【発明の効果】
【０００８】
上記工法より成る本発明によれば、波形スレート屋根の改修工事において、該波形スレート屋根の波形山部上に突出した既設のフックボルトをそのまま利用し、前記波形山部上に突出した前記既設のフックボルトにタップを切って新たに雄ねじ部を形成し、且つ該雄ねじ部に座板を固定すると共に、該座板上に長尺状の金属製タルキを前記波形山部と直角方向に間隔を有して複数列に亘って固定し、然る後、前記金属製タルキ上に鋼板屋根材を設置するようにしたから、既設の波形スレート屋根には全く手を加えることなく、従来のように既設波形スレート屋根にスクリューボルトを捻じ込むことがないので、アスベストを含有する既設波形スレート屋根であっても、アスベスト粉塵が飛散する虞れのない波形スレート屋根改修工法を提供することができる。
【図面の簡単な説明】
【０００９】
【図１】本発明波形スレート屋根改修工法における第１工程で形成された雄ねじ部に、第２工程で座板を固定した状態を示す縦断面図である。
【図２】本発明波形スレート屋根改修工法における第３工程において、座板上に金属製タルキを固定した状態を示す縦断面図である。
【図３】本発明波形スレート屋根改修工法における第４工程において、金属製タルキ上に金属製屋根材を固定した改修後の状態を示す縦断面図である。
【図４】同要部の拡大断面図である。
【図５】本発明波形スレート屋根改修工法において使用する座板の斜視図である。
【図６】本発明波形スレート屋根改修工法において、座板上に金属製タルキを固定した状態を示す斜視図である。
【図７】同要部の拡大斜視図である。
【図８】本発明波形スレート屋根改修工法において使用する金属製屋根材の斜視図である。
【実施例】
【００１０】
本発明工法は、波形スレート屋根の改修時に、該波形スレート屋根と母屋材を連結すると共に、該波形スレート屋根の波形山部上に突出した既設のフックボルトをそのまま利用し、且つ該波形スレート屋根の波形山部上に突出した既設のフックボルトにタップを切って新たに雄ねじ部を形成し、該雄ねじ部に座板を貫通して、その先端から座金を介装してナットを螺挿して、前記座板を前記波形スレート屋板の波形山部に跨って固定して、前記各波形山部に固定された各横一列の座板上に断面逆凹状をした長尺状の金属製タルキを、前記波形山部とは直角方向に間隔を有して複数列に亘って固定し、然る後、前記金属製タルキ上に、前記複数の波形山部と同一ピッチで形成した複数の台形状山部を備えて形成された鋼板製屋根材を設置するようにした波形スレート屋根改修工法である。以下、本発明工法につき、図面に基づいて詳細に説明する。
【００１１】
本発明工法の第１工程は、連続した波形山部１と波形谷部２を備えて形成された波形スレート屋根３の改修作業において、該波形スレート屋根３と母屋材４を連結すると共に、該波形スレート屋根３の波形山部１上に上方部を突出させて、これに座金５を介装して締付けナット６を螺挿し、前記締付けナット６を波形スレート屋根３に締付け固定された既設のフックボルト７をそのまま利用し、前記締付けナット６の上方部に、ダイスを用いてタップを切って新たに雄ねじ８を形成する工程である。
【００１２】
そして、本発明工法の第２工程は、前記既設の波形スレート屋根３上の複数列の波形山部１に、後述する長尺状の金属製タルキ９を固定するための座板１０を、前記第１工程で形成された雄ねじ部８に貫通して、該雄ねじ部８に座金１１を介装して固定ナット１２を螺挿し、前記座板１０を前記波形スレート屋根３の波形山部１に跨って固定する工程である。
【００１３】
前記第２工程において使用する座板１０は、特に限定する必要はないが、好ましくは図５に示すよう構成とすることが推奨される。すなわち、座板１０は、図５に示すように、波形スレート屋根３の波形山部１に上方より被冠すると共に、前記波形山部１に跨って載置できるように、上面板１３と該上面板１３の両側から斜めに下り傾斜した傾斜板１４と、該両側の傾斜板１４の下端縁に、前記波形スレート屋根３の両側の山形谷部２に上面に対面する小巾の底面板１５と、これに連らなり両隣りの波形山部１ａ・１ｂの下方側面に接する小巾の傾斜起立板１６とを連設すると共に、前記上面板１３の中央に前記既設のフックボルト７の雄ねじ部８を貫通する貫通孔１７を穿設して形成されている。
【００１４】
そして、前記波形スレート屋根３の波形山部１から上方へ突出した前記雄ねじ部８を、前記構成より成る座板１０の貫通孔１６に貫通して、該雄ねじ部８に座金１１を介装して固定ナット１２を螺挿・締付けて、前記座板１０を波形スレート屋根３の波形山部１に跨って固定する。前記座板１０を前記波形山部１に跨って固定することにより、該座板１０の上面板１３の下面は前記既設の締付けナット５の上面に圧接すると共に、両傾斜板１４は前記波形山部１の両側湾曲面に摺接し、更に、小巾の底面板１５は前記波形山部１に連らなる両側の波形谷部２上に位置すると共に、小巾の傾斜起立板１６は、前記波形山部３に連らなる両側の波形山部１ａ・１ｂの下方側面に摺接して、動揺することなく固定される。
【００１５】
次に、本発明工法の第３工程は、前記第２工程において、前記波形スレート屋根３の各波形山部１に跨って固定された各横一列の座板１０上に、長尺状の金属製タルキ９を複数列に亘って固定する工程である。そして、第４工程は、前記第３工程によって複数列に亘って固定された金属製タルキ９上に、金属製屋根材１８を設置する工程である。
【００１６】
前記第３工程において使用する長尺状の金属製タルキ９は、前記座板１０上に突出した前記雄ねじ部８を上方より被覆する断面逆凹状をした被覆板１９と、該被覆板１９の両側壁２０の下端縁に、前記座板１０に螺子止め固定するための固定片２１をそれぞれ直角に折曲して形成されている。
【００１７】
すなわち、図６・図７に示すように、前記長尺状の金属製タルキ９は、横一列に設置された複数個の座板１０上に直角方向に載置して、両側の固定片２１と座板１０の上面板１２とを当接した後、該各固定片２１からビス２２によりビス止めして、該固定片２１と座板１０の上面板１２とを固定して、前記金属製タルキ９を横一列に設置された複数個の座板１０上に直角方向に間隔を有して複数列に亘って固定する。
【００１８】
そして、前記第３工程において、複数列に亘って固定された金属製タルキ９上に、第４工程として金属製屋根材１８を設置固定することにより、波形スレート屋根の改修作業は完了する（図３・図４）。前記金属製タルキ９上に固定される金属製屋根材１８は、複数の台形状山部２３を備えて形成されているが、該鋼板製屋根材１８を前記長尺状の金属製タルキ９上に固定する方法は、特に限定する必要はないが、好ましくは図３に示すように、金属製タルキ９と、これに接する該鋼板製屋根材１８の各台形状山部２３間の底面部２４とをビス２５でビス止めすることが推奨される。
【００１９】
本発明工法において、前記のように波形スレート屋根の波形山部上に突出した既設のフックボルトをそのまま利用し、前記波形山部上に突出した前記既設のフックボルトにタップを切って新たに雄ねじ部を形成し、且つ該雄ねじ部に座板を固定すると共に、該座板上に長尺状の金属製タルキを前記波形山部と直角方向に間隔を有して複数列に亘って固定し、然る後、前記金属製タルキ上に、複数の台形状山部を備えて形成された鋼板屋根材を設置することにより、既設の波形スレート屋根には全く手を加えることなく、従来のように既設波形スレート屋根にスクリューボルトを捻じ込むことがないので、アスベストを含有する既設波形スレート屋根であっても、アスベスト粉塵が飛散する虞れのない波形スレート屋根改修工法が提供できる。
【符号の説明】
【００２０】
１  波形山部
２  波形谷部
３  波形スレート屋根
４  母屋材
５  座金
６  締付けナット
７  既設のフックボルト
８  雄ねじ部
９  金属製タルキ
１０  座板
１１  座金
１２  固定ナット
１３  上面板
１４  傾斜板
１５  底面板
１６  傾斜起立板
１７  貫通孔
１８  金属製屋根材
１９  被覆板
２０  側壁
２１  固定片
２２  ビス
２３  台形状山部
２４  底面部
２５  ビス
【図１】
2016130441.tif 000003
【図２】
2016130441.tif 000004
【図３】
2016130441.tif 000005
【図４】
2016130441.tif 000006
【図５】
2016130441.tif 000007
【図６】
2016130441.tif 000008
【図７】
2016130441.tif 000009
【図８】
2016130441.tif 000010